(57)【要約】【課題】本発明は、２つのテープの重ね貼りを効率良く行うことが可能な重ね貼り装置を提供することを主目的とする。【解決手段】本発明は、第１のテープを被着体に貼り付けることが可能な第１押圧部と、第２のテープを、上記被着体に貼り付けられた上記第１のテープ表面に貼り付けることが可能な第２押圧部とを有する重ね貼り装置であって、上記重ね貼り装置を、上記被着体表面に沿って移動させた際に、上記第１のテープ上に重ね合うように上記第２のテープが貼り付けられるように、上記第１押圧部および上記第２押圧部が配置されていることを特徴とする重ね貼り装置を提供する。【選択図】図１
2018086819.tif 000002
【特許請求の範囲】
【請求項１】
第１のテープを被着体に貼り付けることが可能な第１押圧部と、第２のテープを、前記被着体に貼り付けられた前記第１のテープ表面に貼り付けることが可能な第２押圧部とを有する重ね貼り装置であって、
前記重ね貼り装置を、前記被着体表面に沿って移動させた際に、前記第１のテープ上に重ね合うように前記第２のテープが貼り付けられるように、前記第１押圧部および前記第２押圧部が配置されていることを特徴とする重ね貼り装置。
【請求項２】
前記第１押圧部による前記第１のテープが貼り付けられる方向と、前記第２押圧部による前記第２のテープが貼り付けられる方向とが同じであり、
前記第１押圧部および前記第２押圧部は、前記第１のテープおよび前記第２のテープが貼り付けられる方向に沿って配置されることを特徴とする請求項１に記載の重ね貼り装置。
【請求項３】
前記第１のテープおよび前記第２のテープは、接触することで硬化することを特徴とする請求項１または請求項２に記載の重ね貼り装置。
【請求項４】
前記第１のテープは、前記第１のテープの一方の面に設けられた第１のセパレータを有し、
前記第２のテープは、前記第２のテープの一方の面に設けられた第２のセパレータを有することを特徴とする請求項１から請求項３までのいずれかの請求項に記載の重ね貼り装置。
【請求項５】
巻回された前記第１のテープを保持し、前記第１押圧部に前記第１のテープを巻き出すことが可能な第１取り付け部と、
前記第１押圧部により前記被着体に貼り付けられた前記第１のテープから、前記第１のセパレータを巻き取ることが可能な第１巻き取り部と、
巻回された前記第２のテープを保持し、前記第２押圧部に前記第２のテープを巻き出すことが可能な第２取り付け部と、
前記第２押圧部により前記第１のテープ表面に貼り付けられた前記第２のテープから、前記第２のセパレータを巻き取ることが可能な第２巻き取り部と、
を備え、
前記第１取り付け部および前記第１巻き取り部は同期されており、
前記第２取り付け部および前記第２巻き取り部は同期されていることを特徴とする請求項４に記載の重ね貼り装置。
【請求項６】
前記第１のテープおよび前記第２のテープが貼り付けられる方向に力を加えることで、前記第１押圧部および前記第２押圧部により前記第１のテープおよび前記第２のテープが貼り付けられ、前記第１のテープおよび前記第２のテープの重ね貼りができるような位置に配置された取手部を備えることを特徴とする請求項１から請求項５までのいずれかの請求項に記載の重ね貼り装置。
【請求項７】
被着体に建材を貼り合せる建材の貼り合せ方法であって、
第１のテープを貼り付ける第１押圧部および前記第１のテープに重ね合うように第２のテープを貼り付ける第２押圧部とを備えた重ね貼り装置を用いて、前記被着体または前記建材の少なくとも一方の表面に、前記第１のテープおよび前記第２のテープを重ね合わせて配置し、前記第１のテープおよび前記第２のテープを介して前記被着体に前記建材を貼り合せることを特徴とする建材の貼り合せ方法。
【請求項８】
前記建材が床材であることを特徴とする請求項７に記載の建材の貼り合せ方法。
【発明の詳細な説明】
【技術分野】
【０００１】
本発明は、重ね貼り装置、およびそれを用いた建材の貼り合せ方法に関する。
【背景技術】
【０００２】
従来、建材やインフラ設備に用いられる内装材や外装材を貼り合せる際には、被着体と内装材や外装材との間に液状接着剤を塗布して接着する技術が用いられている。このような液状接着剤には、例えば、空気中の湿気により反応が開始する１液型接着剤や、主剤と硬化剤とを混合させることにより反応が開始する２液型接着剤がある。
【０００３】
一方、液状接着剤を用いる場合、液垂れが生じるといった問題や、均一に塗布することが困難であるといった問題、さらには、塗布圧のばらつきにより、貼り合せ後に厚みにムラが生じるといった問題がある。また、２液型接着剤を用いる場合には、特に、主剤と硬化剤との混合が必要であり、使用者に手間がかかるといった問題がある。そこで、液状接着剤に代えて、例えば特許文献１、２のように、両面テープを用いた技術が提案されている。
【先行技術文献】
【特許文献】
【０００４】
【特許文献１】特開２０００−１３５７４７号公報
【特許文献２】特開平０６−５４６６４号公報
【発明の概要】
【発明が解決しようとする課題】
【０００５】
両面テープには、通常、粘着剤が用いられている。このような両面テープを用いた場合、例えば内装材や外装材、被着体の種類に因らずに接着が可能であるといった効果を奏する。しかしながら、両面テープに用いられる粘着剤は、接着剤に比べて接着力（粘着力）が劣ることから、耐久性や硬化性に課題がある。したがって、建材やインフラ設備に両面テープを適用する場合には、アンカー固定等の固定方法を併用する必要がある。
【０００６】
そこで、本発明者等は、第１のテープと第２のテープとを重ね合わせて互いを接触させることにより硬化する、従来の両面テープに比べて耐久性および硬化性に優れた両面テープを開発した。
【０００７】
一方、２つのテープを重ね貼りするにあたっては、両テープを、平面視上重なり合うように配置する必要があり、第１のテープと第２のテープとを貼りつける位置精度が求められる。また、第１のテープおよび第２のテープの見分けが付きにくい場合には、両テープのうち、先に配置したテープがいずれのテープであり、次にいずれのテープを重ね貼りすべきかが分からなくなってしまうといった問題がある。このように、２つのテープを重ね貼りする場合には、作業効率が低下してしまうという問題がある。
【０００８】
本発明は、上記実情に鑑みてなされたものであり、２つのテープの重ね貼りを効率良く行うことが可能な重ね貼り装置を提供することを主目的とする。
【課題を解決するための手段】
【０００９】
本発明は、第１のテープを被着体に貼り付けることが可能な第１押圧部と、第２のテープを、上記被着体に貼り付けられた上記第１のテープ表面に貼り付けることが可能な第２押圧部とを有する重ね貼り装置であって、上記重ね貼り装置を、上記被着体表面に沿って移動させた際に、上記第１のテープ上に重ね合うように上記第２のテープが貼り付けられるように、上記第１押圧部および上記第２押圧部が配置されていることを特徴とする重ね貼り装置を提供する。
【００１０】
本発明によれば、第１押圧部および第２押圧部を有することにより、第１のテープおよび第２のテープの位置ズレ等を抑制し、第１のテープおよび第２のテープの重ね貼りを良好に行うことが可能な重ね貼り装置とすることができる。
【００１１】
本発明においては、上記第１押圧部による上記第１のテープが貼り付けられる方向と、上記第２押圧部による上記第２のテープが貼り付けられる方向とが同じであり、上記第１押圧部および上記第２押圧部は、上記第１のテープおよび上記第２のテープが貼り付けられる方向に沿って配置されていることが好ましい。第１押圧部および第２押圧部による第１のテープおよび第２のテープの貼り付けの際、第１のテープおよび第２のテープの位置ズレ等を抑制し、第１のテープおよび第２のテープの重ね貼りを良好に行うことができる。
【００１２】
本発明においては、上記第１のテープおよび上記第２のテープは、接触することで硬化することが好ましい。従来の両面テープに比べて、優れた接着力や、耐久性、硬化性を付与することができる。
【００１３】
本発明においては、上記第１のテープは、上記第１のテープの一方の面に設けられた第１のセパレータを有し、上記第２のテープは、上記第２のテープの一方の面に設けられた第２のセパレータを有することが好ましい。第１のセパレータおよび第２のセパレータにより、第１のテープおよび第２のテープを保護することができ、第１のテープおよび第２のテープの劣化等を抑制することができる。
【００１４】
本発明においては、巻回された上記第１のテープを保持し、上記第１押圧部に上記第１のテープを巻き出すことが可能な第１取り付け部と、上記第１押圧部により上記被着体に貼り付けられた上記第１のテープから、上記第１のセパレータを巻き取ることが可能な第１巻き取り部と、巻回された上記第２のテープを保持し、上記第２押圧部に上記第２のテープを巻き出すことが可能な第２取り付け部と、上記第２押圧部により上記第１のテープ表面に貼り付けられた上記第２のテープから、上記第２のセパレータを巻き取ることが可能な第２巻き取り部と、を備え、上記第１取り付け部および上記第１巻き取り部は同期されており、上記第２取り付け部および上記第２巻き取り部は同期されていることが好ましい。第１取り付け部および第２取り付け部を備えることにより、第１のテープおよび第２のテープを、良好に第１押圧部および第２押圧部へと巻き出すことができ、さらに、第１巻き取り部および第２巻き取り部を備えることにより、第１のセパレータおよび第２のセパレータを、良好に巻き取って回収することができるため、作業効率を向上することができる。
【００１５】
本発明においては、上記第１のテープおよび上記第２のテープが貼り付けられる方向に力を加えることで、上記第１押圧部および上記第２押圧部により上記第１のテープおよび上記第２のテープが貼り付けられ、上記第１のテープおよび上記第２のテープの重ね貼りができるような位置に配置された取手部を備えることが好ましい。本発明の重ね貼り装置を、手で操作することができるため、例えば、壁等の垂直面や斜面等といった様々な被着面への使用が可能となり、その用途を広げることができる。
【００１６】
本発明は、被着体に建材を貼り合せる建材の貼り合せ方法であって、第１のテープを貼り付ける第１押圧部および上記第１のテープに重ね合うように第２のテープを貼り付ける第２押圧部とを備えた重ね貼り装置を用いて、上記被着体または上記建材の少なくとも一方の表面に、上記第１のテープおよび上記第２のテープを重ね合わせて配置し、上記第１のテープおよび上記第２のテープを介して上記被着体に上記建材を貼り合せる建材の貼り合せ方法を提供する。
【００１７】
本発明によれば、第１押圧部および第２押圧部を有する重ね貼り装置を用いることにより、第１のテープおよび第２のテープの位置ズレ等を抑制し、第１のテープおよび第２のテープの重ね貼りを良好に行うことができるため、被着面と建材とを効率良くに貼り合せることが可能な建材の貼り合せ方法とすることができる。
【００１８】
本発明によれば、上記建材が床材であることが好ましい。被着面と建材とを効率良くに貼り合せることができるといった効果を、より顕著なものとすることができる。
【発明の効果】
【００１９】
本発明は、２つのテープの重ね貼りを効率良く行うことが可能な重ね貼り装置を提供することができるという効果を奏する。
【図面の簡単な説明】
【００２０】
【図１】本発明の重ね貼り装置の一例を示す概略図である。
【図２】本発明の重ね貼り装置の他の例を示す概略図である。
【図３】本発明の重ね貼り装置の他の例を示す概略図である。
【図４】本発明における第１押圧部および第２押圧部を説明する説明図である。
【図５】本発明における第１押圧部および第２押圧部を説明する説明図である。
【図６】本発明における取手部の一例を示す概略断面図である。
【図７】本発明の重ね貼り装置の他の例を示す写真である。
【図８】本発明の重ね貼り装置の他の例を示す写真である。
【図９】本発明の重ね貼り装置の他の例を示す概略斜視図である。
【図１０】本発明の重ね貼り装置の他の例を示す概略斜視図である。
【図１１】本発明における重ね貼りを説明するための説明図である。
【発明を実施するための形態】
【００２１】
本発明は、２つのテープを重ね貼りする場合に用いる重ね貼り装置に関する。ここで、２つのテープを重ね貼りする場合、図１１（ａ）に示すように、第１のテープ１ａと第２のテープ１ｂとが、平面視上重なるように貼り合せることが求められる。特に、第１のテープと第２のテープとが接触することで接着性が発現する場合には、第１のテープと第２のテープとが重なる領域がより広くなるように貼り合せることが求められる。仮に、図１１（ｂ）に示すように、第１のテープ１ａと第２のテープ１ｂとが平面視上一部のみ重なると、図１１（ａ）に示すように両テープが重ね貼りされた領域Ｒａに比べて、図１１（ｂ）に示すように両テープが重ね貼りされた領域Ｒｂが狭まってしまい、より広い領域において所定の接着性を発現することが困難になるという問題がある。
【００２２】
また、第１のテープと第２のテープとの見分けが付きにくい場合には、両テープのうち、先に配置したテープがいずれのテープであり、次にいずれのテープを重ね貼りすべきかが分からなくなってしまうといった問題がある。
【００２３】
これに対し、本発明においては、第１のテープおよび第２のテープを重ね貼りするための重ね貼り装置が、第１のテープを貼り付ける第１押圧部と、上記第１のテープに重ね合うように第２のテープを貼り付ける第２押圧部と、を備えることにより、上述のような問題を解消することができ、２つのテープの重ね貼りを効率良く行うことが可能である。
【００２４】
以下、本発明の重ね貼り装置について説明する。
【００２５】
Ａ．重ね貼り装置
本発明の重ね貼り装置は、第１のテープを被着体に貼り付けることが可能な第１押圧部と、第２のテープを、上記被着体に貼り付けられた上記第１のテープ表面に貼り付けることが可能な第２押圧部とを有する装置であって、上記重ね貼り装置を、上記被着体表面に沿って移動させた際に、上記第１のテープ上に重ね合うように上記第２のテープが貼り付けられるように、上記第１押圧部および上記第２押圧部が配置されていることを特徴とする装置である。
【００２６】
本発明の重ね貼り装置について、図を参照しながら説明する。
図１は、本発明の重ね貼り装置の一例を示す概略図である。本発明の重ね貼り装置１０は、図１に示すように、第１のテープを貼り付ける第１押圧部２ａと、上記第１のテープに重ね合うように第２のテープを貼り付ける第２押圧部２ｂと、を備える。なお、図１に示す重ね貼り装置１０は、第１押圧部２ａ、第２押圧部２ｂの他にも、巻回された第１のテープを保持する第１取り付け部４ａ、および巻回された第２のテープを保持する第２取り付け部４ｂを有し、さらに、第１のテープの一方の面に設けられた第１のセパレータを巻き取る第１巻き取り部３ａ、および第２のテープの一方の面に設けられた第２のセパレータを巻き取る第２巻き取り部３ｂを有する例である。さらにまた、図１に示す重ね貼り装置１０は、第１押圧部２ａ、第１取り付け部４ａおよび第１巻き取り部３ａ等を支持するための第１枠部２０ａ、ならびに、第２押圧部２ｂ、第２取り付け部４ｂおよび第２巻き取り部３ｂ等を支持するための第２枠部２０ｂを有し、また、第１取り付け部４ａと第１巻き取り部３ａとを同期させるための歯車である第１補助部７ａ、第２取り付け部４ｂと第２巻き取り部３ｂとを同期させるための歯車である第２補助部７ｂ、第１枠部２０ａおよび第２枠部２０ｂを連結するための連結部３０を有する例である。
【００２７】
図２は、上述した図１に示す重ね貼り装置の観察面を第１面としたとき、当該第１面の裏面となる第２面から観察した重ね貼り装置の概略図である。本発明の重ね貼り装置では、図２に示す第２面側にロール状に巻回された第１のテープおよび第２のテープをそれぞれ第１取り付け部４ａおよび第２取り付け部４ｂにより保持させ、このように保持された第１のテープおよび第２のテープを用いて、次のようにして貼り付けを行う。本発明の重ね貼り装置１０では、図２の実線矢印に示すように第１のテープおよび第２のテープは、第１取り付け部４ａおよび第２取り付け部４ｂから、第１押圧部２ａおよび第２押圧部２ｂへとそれぞれ送られ、第１押圧部２ａおよび第２押圧部２ｂにより被着面に貼り付けられる。その後、図２の点線矢印に示すように、第１のセパレータおよび第２のセパレータは、図１巻き取り部３ａおよび第２巻き取り部３ｂにより巻き取られて回収される。
【００２８】
図１、図２では、第１押圧部２ａ上に第１巻き取り部３ａが配置され、第１巻き取り部３ａ上に第１取り付け部４ａが配置されており、また、第２押圧部２ｂ上に第２巻き取り部３ｂが配置され、第２巻き取り部３ｂ上に第２取り付け部４ｂが配置された例を示している。本発明では、第１巻き取り部３ａおよび第１取り付け部４ａ、第２巻き取り部３ｂおよび第２取り付け部４ｂの位置は特に限定されず、各構成が所定の機能を発揮することができれば良い。そのため、例えば、図３に示すように、第１押圧部２ａ上に第１取り付け部４ａが配置され、第１取り付け部４ａ上に第１巻き取り部３ａが配置されていても良く、第２押圧部２ｂ上に第２取り付け部４ｂが配置され、第２取り付け部４ｂ上に第２巻き取り部３ｂが配置されていても良い。なお、図３において説明していない符号については、図１、２と同様とすることができるため、ここでの記載は省略する。
【００２９】
図４は、本発明の重ね貼り装置を用いた第１のテープおよび第２のテープの重ね貼りを説明するための説明図である。本発明においては、図４に示すように、第１のテープ１ａを第１押圧部２ａにより貼り付け、その後、第１押圧部２ａにより貼り付けられた第１のテープ１ａ上に、第２押圧部２ｂにより第２のテープ１ｂを貼り付けることができる。なお、図４は、第１のテープ１ａが、一方の面に第１のセパレータ１ａ”を有し、第１押圧部２ａにより第１のテープ１ａが貼り付けられた後に、第１のセパレータ１ａ”が回収され、第２のテープ１ｂも同様に、一方の面に第２のセパレータ１ｂ”を有し、第２押圧部２ｂにより第２のテープ１ｂが貼り付けられた後に、第２のセパレータ１ｂ”が回収される例を示している。
【００３０】
本発明の重ね貼り装置は、第１のテープを貼り付ける第１押圧部と、上記第１のテープに重ね合うように第２のテープを貼り付ける第２押圧部と、を備えることにより、２つのテープの重ね貼りを効率良く行うことが可能である。
以下、本発明の重ね貼り装置について説明する。
【００３１】
１．第１押圧部
本発明における第１押圧部は、第１のテープを被着体に貼り付けることが可能な部材である。
【００３２】
本発明における第１押圧部は、巻き出された第１のテープを被着体へ貼り付ける部材である。そのため、第１押圧部は、第１のテープが被着体へ充分に接着する程度に押圧する部材であることが好ましい。ここで、第１のテープが被着体へ充分に接着する程度とは、例えば、第１のテープと被着体との間に空気等が入り込まず、かつ第１のテープが切断されない程度をいい、第１のテープの種類や被着体に応じて適宜調整されるため、具体的な圧力等では定義されない。
【００３３】
本発明における第１押圧部は、第１のテープを貼り付けることが可能な形状を有し、その形状としては、例えば、ロール状やヘラ状等が挙げられる。本発明においては、中でも図１、２に示すようにロール状であることが好ましい。第１押圧部がロール状である場合、第１押圧部の回転により、第１のテープが被着体へと貼り付けられる。なお、第１押圧部は、通常、他の部材と連動していないため、第１押圧部の回転は、他の部材等により制御されておらず、単独で動作する。
【００３４】
本発明における第１押圧部がロール状である場合、第１押圧部と第１のテープとの接触面では、所定の摩擦が生じることが好ましい。ここで、第１押圧部と第１のテープとの接触面とは、例えば、図４の点線で囲った領域Ｒｍを指し、第１のテープ１ａが第１のセパレータ１ａ”と第１の接着層１ａ’とを有する場合には、第１押圧部２ａと第１のセパレータ１ａ”との接触面を指す。本発明においては、第１押圧部と第１のセパレータとの接触面で所定の摩擦が生じることにより、第１の接着層から第１のセパレータが剥離しやすくなるといった効果を奏する。
【００３５】
第１押圧部と第１のセパレータとの接触面で摩擦を発生させる方法としては、例えば、第１押圧部の表面、すなわち第１押圧部の第１のセパレータと接触する面に、所定の材料を用いる方法が挙げられる。第１押圧部の表面に用いられる材料としては、例えば、コーティングダイヤモンド、コーティングＣＢＮ（立方晶窒化ホウ素）等の無機材料が好適である。また、第１押圧部の表面に用いられるその他の材料としては、例えば、樹脂材料に粒子を分散させて埋め込んだ材料が挙げられる。樹脂材料には、例えば、ウレタンゴム、ニトリルゴム、クロロプレンゴム、エチレンゴム、プロピレンゴム、シリコーンゴム、ブチルゴム、スチレンゴム、ハイパロンゴム、弗素ゴム等を用いることができる。また、粒子には、例えば、銅、ニッケル、銀、チタン、白色アルミナ質、解砕型アルミナ質、淡紅色アルミナ質、緑色炭化ケイ素、黒色炭化ケイ素等を用いることができる。
【００３６】
第１押圧部の大きさについては、用いられる第１のテープの幅等に応じて適宜調整することができ、特に限定されない。本発明における第１押圧部は、第１のテープが、第１押圧部により被着体へ良好に貼り付けられる程度の大きさであることが好ましい。
【００３７】
２．第２押圧部
本発明における第２押圧部は、第２のテープを、上記被着体に貼り付けられた上記第１のテープ表面に貼り付けることが可能な部材である。
【００３８】
本発明における第２押圧部は、巻き出された第２のテープを、上述した第１のテープに重ね合うように貼り付ける部材である。そのため、第２押圧部は、第２のテープが第１のテープ上に充分に接着する程度に押圧する部材であることが好ましい。ここで、第２のテープが第１のテープ上に充分に接着する程度とは、例えば、第１のテープと第２のテープとの間に空気等が入り込まず、かつ第２のテープが切断されない程度をいい、第２のテープの種類や第１のテープの種類に応じて適宜調整されるため、具体的な圧力等では定義されない。
【００３９】
本発明における第２押圧部は、第２のテープを貼り付けることが可能な形状を有し、その形状としては、例えば、ロール状やヘラ状等が挙げられる。本発明においては、中でも図１〜図４に示すようにロール状であることが好ましい。第２押圧部がロール状である場合、第２押圧部の回転により、第２のテープが被着体へと貼り付けられる。なお、第２押圧部は、他の部材に連動していないため、第２押圧部の回転は、他の部材等により制御されておらず、単独で動作する。
【００４０】
本発明においては、第２押圧部により、第２のテープが、第１のテープと重なり合うように貼り付けられる。そのため、第２押圧部は、重ね貼り装置を、被着体表面に沿って移動させた際に、第１押圧部により貼り付けられた第１のテープ上に、第２のテープが重ね合わさるように配置されていることが好ましい。ここで、重ね合わさるとは、本発明の重ね貼り装置を被着体表面に沿って移動させ、第１のテープと第２のテープとの貼り付けを行った際に、第２のテープが、第１のテープの一部の領域で重なっていることや、あるいは第１のテープの全ての領域を覆うように重なっていること等を指す。本発明においては、後者であることが好ましい。第１のテープにおいて、より広い領域で第２のテープと重ね合わせることができるからである。第１のテープおよび第２のテープの重なり合いは、例えば、図４のＹ方向から観察することで確認することができる。
【００４１】
なお、重ね貼り装置を、被着体表面に沿って移動させた際に、第１押圧部により貼り付けられた第１のテープ上に、第２のテープが重ね合わさるように配置されているとは、換言すると、重ね貼り装置を、被着体表面に沿って移動させた際に、第１押圧部により第１のテープが貼り付けられる方向と、第２押圧部により第２のテープが貼り付けられる方向とが同じであり、第１押圧部および第２押圧部が、第１のテープおよび第２のテープが貼り付けられる方向に沿って配置されることを指す。
【００４２】
ここで、第１のテープおよび第２のテープが貼り付けられる方向に沿って配置されるとは、例えば、図４に示す第１押圧部２ａおよび第２押圧部２ｂを、Ｙ方向から観察した際に、図５に示すように、第１押圧部２ａおよび第２押圧部２ｂが、矢印で示す進行方向に沿って配置されることを指す。なお、図５では、第１押圧部２ａの幅Ｗ２ａと、第２押圧部２ｂの幅Ｗ２ｂとが同じであり、第１押圧部２ａと第２押圧部２ｂとが、進行方向に沿って全て重なるように配置された例である。
【００４３】
第２押圧部にその他の説明については、上述した「１．第１押圧部」の項に記載した内容と同様とすることができるため、ここでの記載は省略する。
【００４４】
３．第１取り付け部および第２取り付け部
本発明においては、巻回された上記第１のテープを保持し、上記第１押圧部に上記第１のテープを巻き出すことが可能な第１取り付け部と、巻回された上記第２のテープを保持し、上記第２押圧部に上記第２のテープを巻き出すことが可能な第２取り付け部とを有することが好ましい。
【００４５】
第１取り付け部および第２取り付け部は、いずれも第１のテープまたは第２のテープを保持することができる部材であり、さらに、第１取り付け部は、第１のテープを第１押圧部へと巻き出すことができ、第２取り付け部は、第２のテープを第２押圧部へと巻き出すことができる。
【００４６】
本発明における第１取り付け部および第２取り付け部は、例えば、図１に示す第１取り付け部４ａ、第２取り付け部４ｂのように、ロール状であることが好ましい。第１のテープおよび第２のテープの巻き出しを良好に行うことができるからである。
【００４７】
第１取り付け部および第２取り付け部がロール状である場合、第１取り付け部および第２取り付け部は、図１に示すように、歯車を有することが好ましい。本発明の重ね貼り装置が、第１のセパレータを巻き取る第１巻き取り部、および第２のセパレータを巻き取る第２巻き取り部を有し、かつ、第１巻き取り部および第２巻き取り部が歯車を有する場合であって、第１取り付け部の歯車が第１巻き取り部の歯車を連れ回し、また第２取り付け部の歯車が第２巻き取り部の歯車を連れ回す場合に、次のような理由から、第１のテープの貼り付けおよび第２のテープの貼り付けを良好に行うことが可能となる。すなわち、第１取り付け部における歯車と軸心が同一となるように、ロール状に巻回された第１のテープを第１取り付け部に保持させ、また、第２取り付け部における歯車と軸心が同一となるように、ロール状に巻回された第２のテープを第２取り付け部に保持させることで、第１取り付け部および第２取り付け部からの第１のテープおよび第２のテープの巻き出しと、第１巻き取り部および第２巻き取り部による第１のセパレータおよび第２のセパレータの巻き取りとを、連動して行うことが可能できる。このような理由から、第１のテープの貼り付けおよび第２のテープの貼り付けを良好に行うことが可能となる。なお、ここでの第１のセパレータおよび第２のセパレータの巻き取りは、第１巻き取り部の歯車と軸心が同一となるように保持されたロール、および第２巻き取り部の歯車と軸心が同一となるように保持されたロールによって行うことができる。
【００４８】
第１取り付け部および第２取り付け部がロール状であり、上述のように第１取り付け部および第２取り付け部が歯車を有する場合であって、第１取り付け部における歯車と軸心が同一となるように、ロール状に巻回された第１のテープを第１取り付け部に保持させ、また、第２取り付け部における歯車と軸心が同一となるように、ロール状に巻回された第２のテープを第２取り付け部に保持させる場合、第１取り付け部および第２取り付け部が有する歯車の大きさ、具体的には、第１取り付け部および第２取り付け部が有する歯車の半径は、第１のテープおよび第２のテープの巻き出し量に応じて適宜調整することができる。例えば、本発明の重ね貼り装置が、第１巻き取り部および第２巻き取り部を有する場合、第１のテープおよび第２のテープの巻き出し量と、第１のセパレータおよび第２のセパレータの巻き取り量は、常に一定となることが好ましい。そのため、本発明の重ね貼り装置が、第１巻き取り部および第２巻き取り部を有する場合には、第１取り付け部および第２取り付け部の半径は、第１巻き取り部が有する歯車および第２巻き取り部が有する歯車の半径に応じて適宜調整することが好ましい。第１取り付け部が有する歯車の半径および第２取り付け部が有する歯車の半径よりも、第１巻き取り部が有する歯車の半径および第２巻き取り部が有する歯車の半径が大きいと、第１のテープおよび第２のテープの貼り付けは軽くなり、重ね貼り装置の動作を軽くすることができる。
【００４９】
４．第１巻き取り部および第２巻き取り部
本発明においては、上記第１押圧部により上記被着体に貼り付けられた上記第１のテープから、上記第１のセパレータを巻き取ることが可能な第１巻き取り部と、上記第２押圧部により上記第１のテープ表面に貼り付けられた上記第２のテープから、上記第２のセパレータを巻き取ることが可能な第２巻き取り部とを有することが好ましい。
【００５０】
本発明における第１巻き取り部および第２巻き取り部は、例えば、図１に示す第１巻き取り部３ａ、第２巻き取り部３ｂのように歯車を有し、当該歯車と軸心が同一となるようにロールが保持されていることが好ましい。第１取り付け部および第２取り付け部と同期させることができるため、第１のテープおよび第２のテープの巻き出しと、第１のセパレータおよび第２のセパレータの巻き取りを連動させ、第１のテープおよび第２のテープの重ね貼りを良好に行うことができるからである。
【００５１】
第１巻き取り部および第２巻き取り部が歯車を有し、当該歯車と軸心が同一となるようにロールが保持されている場合、第１巻き取り部および第２巻き取り部が有する歯車の大きさ、具体的には、第１巻き取り部および第２巻き取り部が有する歯車の半径は、歯車と軸心が同一となるように保持されたロールによって巻き取られる第１のセパレータおよび第２のセパレータの巻き取り量に応じて適宜調整することができる。例えば、本発明の重ね貼り装置は、第１のテープおよび第２のテープの巻き出し量と、第１のセパレータおよび第２のセパレータの巻き取り量は、常に一定となることが好ましい。そのため、本発明の重ね貼り装置における第１巻き取り部および第２巻き取り部が有する歯車の半径は、第１取り付け部および第２取り付け部が有する歯車の半径に応じて適宜調整することが好ましい。第１取り付け部および第２取り付け部が有する歯車の半径よりも、第１巻き取り部および第２巻き取り部が有する歯車の半径が大きいと、第１のテープおよび第２のテープの貼り付けは軽くなり、重ね貼り装置の動作を軽くすることができる。
【００５２】
５．取手部
本発明においては、第１のテープおよび第２のテープが貼り付けられる方向に力を加えることで、第１押圧部および第２押圧部により第１のテープおよび第２のテープが貼り付けられ、第１のテープおよび第２のテープの重ね貼りができるような位置に配置された取手部を有することが好ましい。
【００５３】
重ね貼り装置が取手部を有することにより、手動で重ね貼り装置を用いることができる。したがって、第１のテープおよび第２のテープを、例えば、床面や、床面に対して垂直面となる壁面や、床面に対向する天井面等、様々な被着面に用いることができ、従来の卓上の装置に比べて自由度が向上する。
【００５４】
本発明においては、例えば、図１に示す取手部領域Ｒ５に、図６に示す取手部５を備えることが好ましい。なお、図７は、取手部５を有する重ね貼り装置の実際の写真であり、図８は、取手部５を有する重ね貼り装置を実際に使用したときの写真である。図８では、矢印方向に重ね貼り装置を動かし、第１のテープおよび第２のテープを貼り付けている。
【００５５】
本発明における取手部は、例えば、図９（ａ）、（ｂ）に示すように、持手部５１を有していても良い。図９（ａ）に示すように、取手部５に、持手部５１が備わっている場合には、持手部５１を手で握り、重ね貼り装置を動かすことができる。また、図９（ｂ）に示すように、取手部５に、持手部５１が備わっている場合には、取手部５を握った手が外れないように、ストッパーとしての機能を発揮することができる。なお、取手部に設けられる持手部は、必要に応じて様々な角度や長さ、形状で設けることができ、特に限定されない。
【００５６】
本発明においては、例えば、図１０に示すように、取手部領域から、被着面に対し斜め垂直方向に取手部５を設けても良い。この場合、取手部５の長さを長くし、かつ取手部５の先端に持手部５１を設けることにより、重ね貼り装置を使用する使用者が、持手部５１を手で握り、立った状態で重ね貼り装置を動かすことができる。したがって、使用者が楽な姿勢で作業することが可能となり、作業効率の向上を図ることができる。
【００５７】
取手部に用いられる材料は、取手部により重ね貼り装置を動かすことができる程度の強度を有する材料であることが好ましい。例えば、木材、革材、骨材、樹脂材、ゴム材等が挙げられる。また、取手部は、強度を増すために補強材料を含んでいても良い。補強材料としては、例えば、樹脂材、鋼材等が挙げられる。
【００５８】
取手部の大きさや形状は、本発明の重ね貼り装置の使用方法に応じて適宜調整することができ、重ね貼り装置を動かすことができれば特に限定されない。
【００５９】
また、取手部に備えられる持手部の材料については、上述した取手部の材料と同様とすることができるため、ここでの記載は省略する。さらに、持手部の大きさや形状についても、取手部と同様に、本発明の重ね貼り装置の使用方法に応じて適宜調整することができ、重ね貼り装置を動かすことができれば特に限定されない。
【００６０】
６．第１切断部および第２切断部
本発明においては、第１のテープを貼り付けた後に、第１のテープ、具体的には第１の接着層を切断する第１切断部、および第２のテープを貼り付けた後に、第２のテープ、具体的には第２の接着層を切断する第２切断部を有することが好ましい。
【００６１】
本発明においては、例えば、図１に示すように、第１押圧部２ａの後方に第１切断部６ａを設けることができ、第２押圧部２ｂの後方に第２切断部６ｂを設けることができる。第１切断部６ａおよび第２切断部６ｂを有することにより、第１のセパレータおよび第２のセパレータが巻き取られた後に、カッター等で、第１の接着層および第２の接着層のみを切断することができ、作業効率の向上を図ることができる。
【００６２】
第１切断部および第２切断部は、第１の接着層および第２の接着層を切断することができる部材であれば良く、例えば、鋼材、ステンレス鋼材、粉末鋼、クラッド材、セラミック、チタン等が挙げられる。第１切断部および第２切断部の形状としては、例えば、段付き形状、ハマグリ形状、本刃付け形状、片刃形状等が挙げられる。
【００６３】
本発明において、第１切断部および第２切断部により、第１の接着層および第２の接着層を切断する方法としては、例えば、押し切り方式や引き切り方式が挙げられる。具体例としては、例えば、市販のセロハンテープのカッターのように、材料として鋼材を用いた第１切断部および第２切断部を段付き形状とし、段付き形状とした刃物を、山谷が交互になるように配置し、第１の接着層および第２の接着層に押し当てることで、山部分から引き切り、切断する方法が挙げられる。
【００６４】
７．第１のテープおよび第２のテープ
本発明における第１のテープおよび第２のテープは、上述した第１押圧部および第２押圧部により被着体に重ね貼りされる部材である。
【００６５】
本発明においては、第１のテープは、第１のテープの一方の面に設けられた第１のセパレータを有することが好ましい。また、第２のテープは、第２のテープの一方の面に設けられた第２のセパレータを有することが好ましい。このとき、第１のテープは、第１の接着層であり、第２のテープは第２の接着層である。そのため、本発明においては、第１の接着層と、第１の接着層の一方の面に設けられた第１のセパレータとの積層体、および第２の接着層と、第２の接着層の一方の面に設けられた第２のセパレータとの積層体を用いることができる。
以下、第１の接着層および第２の接着層、ならびに第１のセパレータおよび第２のセパレータに分けて説明する。
【００６６】
（１）第１の接着層および第２の接着層
本発明における第１の接着層および第２の接着層は、それぞれ同一の材料であっても良く、異なる材料であっても良い。本発明においては、第１の接着層と第２の接着層とが互いに異なる材料であり、かつ第１の接着層と第２の接着層とが互いに接触することにより硬化する材料であることが好ましい。具体的には、第１の接着層および第２の接着層のうち、一方を、硬化性成分を含有する接着層、すなわち硬化性成分含有層とし、他方を、反応付与成分を含有する接着層、すなわち反応付与成分含有層とすることが好ましい。本発明の重ね貼り装置を用いることによる効果を、より顕著なものとすることができるからである。
【００６７】
ここで、反応付与成分とは、硬化性成分と直接反応する成分や、硬化性成分の硬化反応を誘発させる、若しくは促進させる成分を指す。硬化性成分を含有する接着層、および反応付与成分を含有する接着層は、接触により硬化反応が開始し、それぞれの成分が相互に拡散するにつれて硬化反応が進むことにより、実質的に均一に硬化することとなる。
【００６８】
第１の接着層および第２の接着層は、硬化性成分を含有する硬化性成分含有層であっても良く、反応付与成分を含有する反応付与成分含有層であっても良い。第１の接着層が硬化性成分含有層である場合には、第２の接着層が反応付与成分含有層であることが好ましく、一方、第１の接着層が反応付与成分含有層である場合には、第２の接着層が硬化性成分含有層であることが好ましい。
【００６９】
硬化性成分含有層に含有される硬化性成分、および反応付与成分含有層に含有される反応付与成分は、互いに接触することで硬化するという機能を発揮することができる成分であることが好ましい。例えば、硬化性成分として硬化性樹脂を用いる場合には、反応付与成分として硬化剤を用いることが好ましく、また、硬化性成分として硬化性樹脂および潜在性硬化剤を用いる場合には、反応付与成分として触媒や還元剤を用いることが好ましく、さらに、硬化性成分として硬化性無機材料を用いる場合には、反応付与成分として水分や触媒を用いることが好ましく、さらにまた、硬化性成分として硬化性樹脂およびｐｈ反応付与成分を用いる場合には、反応付与成分として酸あるいはアルカリ成分を用いることが好ましい。
【００７０】
第１の接着層および第２の接着層のうち、例えば、一方の接着層に硬化性成分が含まれるが、他方の接着層にも硬化性成分が含まれていても良い。このような例としては、例えば、第１の接着層が硬化性成分含有層であり、上記第１の接着層は、硬化性樹脂であるアクリルモノマーと重合開始剤とを硬化性成分として含み、第２の接着層が反応付与成分含有層であり、上記第２の接着層は、還元剤を反応付与成分として含み、さらに、硬化性樹脂であるアクリルモノマーを硬化性成分として含んでいても良い。上記の場合、第1の接着層および第２の接着層が接触することで、還元剤と重合開始剤とが反応してラジカル発生することにより硬化反応が進む。このとき、第１の接着層および第２の接着層に含まれる硬化性樹脂は同じであっても良く、異なっても良い。第１の接着層および第２の接着層の両方が硬化性成分を含む場合、反応付与成分を主成分とする接着層が、反応付与成分含有層となる。
【００７１】
第１の接着層および第２の接着層は、一方が硬化性成分を含有し、他方が反応付与成分を含有し、硬化性成分を含有する接着層が、少なくとも硬化性成分に対して相溶する第１の相溶性ポリマー成分をさらに含み、反応性成分を含有する接着層が、少なくとも反応性成分に対して相溶する第２の相溶性ポリマー成分をさらに含んでいても良い。中でも、硬化性成分がエポキシ樹脂を含み、反応付与成分がイミダゾール化合物を含む組合せが好ましく、第１の相溶性ポリマー成分および第２の相溶性ポリマー成分が、アクリルポリマーを含む同一の成分であることがより好ましい。
【００７２】
（２）第１のセパレータおよび第２のセパレータ
第１のセパレータおよび第２のセパレータは、第１の接着層および第２の接着層から剥離可能であれば特に限定されず、第１の接着層および第２の接着層を保護することが可能な程度の強度を有することが好ましい。
【００７３】
第１のセパレータおよび第２のセパレータとしては、例えば、離型フィルム、セパレート紙、セパレートフィルム、セパ紙、剥離フィルム、剥離紙等の従来公知のものを用いることができる。具体的には、ポリプロピレンフィルムやポリエチレンフィルム、フッ素フィルムなどが挙げられる。
【００７４】
第１のセパレータおよび第２のセパレータは、通常、第１押圧部および第２押圧部により第１のテープおよび第２のテープが貼り付けられた後、図１の符号３ａ、３ｂで示すような第１巻き取り部および第２巻き取り部により回収されるため、巻き取りが可能な程度の柔軟性を有することが好ましい。このような第１のセパレータおよび第２のセパレータとしては、例えばポリエチレンフィルム等が好適である。
【００７５】
また、第１のセパレータおよび第２のセパレータは、第１の接着層および第２の接着層に含まれる材料や施工環境に応じて、遮光性を有していても良い。第１押圧部により第１のテープを貼り付けるまでの間、および第２押圧部により第２のテープを貼り付けるまでの間に、第１の接着層および第２の接着層への紫外線等の照射を抑制し、第１の接着層および第２の接着層を充分に保護することができる。遮光性を有する第１のセパレータおよび第２のセパレータとしては、例えば、アルミ箔セパレータ、アルミ蒸着フィルムや紙セパレータ、着色セパレータ、紫外線吸収剤入りのフィルムセパレータ等が挙げられる。
【００７６】
第１のセパレータおよび第２のセパレータは、第１の接着層および第２の接着層と接する面に易剥離処理が施されていることが好ましい。
【００７７】
（３）製造方法
第１のテープおよび第２のテープの製造方法について説明する。なお、ここでは、第１のテープの一方の面に第１のセパレータを有し、第２のテープの一方の面に第２のセパレータを有する例について説明する。
【００７８】
第１のテープおよび第２のテープは、例えば２液分別塗布型接着剤の２種類の薬液、すなわち、硬化性成分を含む接着剤組成物および反応性成分を含む接着剤組成物を、それぞれ第１のセパレータおよび第２のセパレータの一方の面に塗布し、乾燥することで形成することができる。上記接着剤組成物は必要に応じて溶剤を含むことができる。
【００７９】
接着剤組成物の塗布方法は特に限定されず、公知の印刷法やコーティング法を用いることができる。また、塗布層の乾燥条件は、塗布層中に含まれている溶剤を十分揮発させることができる程度の条件で行うことが好ましく、組成に応じて適宜設定することができる。
【００８０】
８．その他の部材
本発明の重ね貼り装置は、上述した部材以外にも、必要に応じてその他の部材を有していても良い。その他の部材としては、例えば、図１に示すように、第１押圧部２ａ、第１取り付け部４ａおよび第１巻き取り部３ａ等を支持するための第１枠部２０ａや、第２押圧部２ｂ、第２取り付け部４ｂおよび第２巻き取り部３ｂ等を支持するための第２枠部２０ｂが挙げられる。また、第１取り付け部４ａと第１巻き取り部３ａとの間の距離を設けるための第１補助部７ａや、第２取り付け部４ｂと第２巻き取り部３ｂとの間の距離を設けるための第２補助部７ｂが挙げられる。さらに、第１枠部２０ａおよび第２枠部２０ｂを連結するための連結部３０が挙げられる。
【００８１】
第１枠部は、第１押圧部、第１取り付け部および第１巻き取り部等の各部材を支持する部材である。また、第２枠部は、第２押圧部、第２取り付け部および第２巻き取り部等の各部材を支持する部材である。そのため、第１枠部および第２枠部の材料は、上述した各部材を支持することができる材料であれば特に限定されず、所定の強度を有する材料であることが好ましい。
【００８２】
第１補助部は、第１取り付け部と第１巻き取り部との間の距離を設けるための部材である。また、第２補助部は、第２取り付け部と第２巻き取り部との間の距離を設けるための部材である。第１補助部および第２補助部の形状としては、例えば、ロール状が挙げられ、図１に示すように、第１補助部７ａおよび第２補助部７ｂは、複数個設けることもできる。図１に示す例では、第１補助部７ａおよび第２補助部７ｂは、歯車のように周囲に歯形を有し、第１補助部７ａは、第１取り付け部４ａおよび第１巻き取り部３ａを連れ回し、第２補助部７ｂは、第２取り付け部４ｂおよび第２巻き取り部３ｂを連れ回している。
【００８３】
連結部は、第１枠部および第２枠部を連結する部材である。また、重ね貼り装置が取手部を有する場合には、連結部に取手部を設置することができる。ここで、図１に示すように、第１枠部２０ａと連結部３０とを接合した点を接合点３１ａとすると、接合点３１ａは、第１押圧部２ａの中心と、第１のテープの被着面に対して垂直線上に位置することが好ましい。同様に、第２枠部２０ｂと連結部３０とを接合した点を接合点３１ｂとすると、接合点３１ｂは、第２押圧部２ｂの中心と、第２のテ―プの被着面に対して垂直線上に位置することが好ましい。連結部に取手部を設けた際に、取手部から被着面に圧力を加えることで、第１押圧部および第２押圧部から被着面に所定の圧力を加えることができるからである。なお、このとき、第１押圧部および第２押圧部に均一に圧力を加えるために、連結部の中心に取手部を設けることが好ましい。
【００８４】
本発明においては、第１押圧部２ａ、第１巻き取り部３ａおよび第１取り付け部４ａの中心が、一直線上となるように配置されることが好ましい。また、第２押圧部２ｂ、第２巻き取り部３ｂおよび第２取り付け部４ｂの中心が、一直線上となるように配置されることが好ましい。このような配置とすることで、第１押圧部および第２押圧部に所定の圧力を加えることができ、第１テープおよび第２テープの貼り付けを良好に行うことができる。
【００８５】
Ｂ．建材の貼り合せ方法
本発明の建材の貼り合せ方法は、被着体に建材を貼り合せる建材の貼り合せ方法であって、第１のテープを貼り付ける第１押圧部および上記第１のテープに重ね合うように第２のテープを貼り付ける第２押圧部とを備えた重ね貼り装置を用いて、上記被着体または上記建材の少なくとも一方の表面に、上記第１のテープおよび上記第２のテープを重ね合わせて配置し、上記第１のテープおよび上記第２のテープを介して上記被着体に上記建材を貼り合せる方法である。
【００８６】
本発明における重ね貼り装置、第１のテープおよび第２のテープについては、上述した「Ａ．重ね貼り装置」の項に記載した内容と同様とすることができるため、ここでの記載は省略する。
【００８７】
本発明でいう被着体への建材の貼り合せとは、例えば、建築構造物における内壁への壁紙の貼り合せ、床へのフォローロングボード等の化粧床材の貼り合せ、外壁へのタイルの貼り合せ等、建築構造物における柱、梁、天井、壁、床等の躯体への別の建材の貼り合せ等を指し、特に限定されない。また、複合建材を作成するための２種類の異なる建材の貼り合せも含む。
【００８８】
本発明においては、建材が床材であることが好ましい。本発明における重ね貼り装置は、取手部を設けることで、垂直面や斜面等、多様な貼り付け作業に対応することができるため、重ね貼り装置を用いることによる効果を顕著なものとすることができる。
【００８９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００９０】
１ａ    …第１のテープ
１ｂ    …第２のテープ
２ａ    …第１押圧部
２ｂ    …第２押圧部
３ａ    …第１巻き取り部
３ｂ    …第２巻き取り部
４ａ    …第１取り付け部
４ｂ    …第２取り付け部
５      …取手部
１０    …重ね貼り装置
【図１】
2018086819.tif 000003
【図２】
2018086819.tif 000004
【図３】
2018086819.tif 000005
【図４】
2018086819.tif 000006
【図５】
2018086819.tif 000007
【図６】
2018086819.tif 000008
【図７】
2018086819.tif 000009
【図８】
2018086819.tif 000010
【図９】
2018086819.tif 000011
【図１０】
2018086819.tif 000012
【図１１】
2018086819.tif 000013